(57)【要約】      （修正有）【課題】壁等に損傷を与えることなく、蜘蛛の巣を簡単、迅速、且つ綺麗に除去でき、また作業者に肉体的な負担を強いることなく短時間で綺麗に掃除でき、更にはメンテナンスも容易な蜘蛛の巣用の掃除器具を提供する。【解決手段】柄１に内蔵しているモータ２で柄１の先端に設けている掃除部３を柄１の軸心Ｌを中心にして回転自在に形成する。掃除部３を、柄１と同心状の軸部３ａと、この軸部３ａの周りに、軸部３ａを中心に放射状に設けている柔軟質の線状部材３ｂとで形成する。【選択図】図１
0003206925.tif 000002
【実用新案登録請求の範囲】
【請求項１】
柄に内蔵されているモータで柄の先端に設けられている掃除部が柄の軸心を中心にして回転自在に形成されている蜘蛛の巣用の掃除器具であって、上記の掃除部が、柄と同心状の軸部と、この軸部の周りに、軸部を中心に放射状に設けられている柔軟質の線状部材とで形成されていることを特徴とする蜘蛛の巣用の掃除器具。
【請求項２】
請求項１記載の蜘蛛の巣用の掃除器具であって、線状部材が、軸部の長手方向にわたって設けられていることを特徴とする蜘蛛の巣用の掃除器具。
【請求項３】
請求項１又は２記載の蜘蛛の巣用の掃除器具であって、交換自在の掃除部を複数備え、各掃除部が線状部材の長さを違えて形成されていることを特徴とする蜘蛛の巣用の掃除器具。
【考案の詳細な説明】
【技術分野】
【０００１】
本考案は、蜘蛛の巣用の掃除器具に関し、更に詳しくは柄の先端に電動で回転する掃除部が設けられている蜘蛛の巣用の掃除器具に関するものである。
【背景技術】
【０００２】
従来、この種の掃除器具としては、例えば特許文献１に記載されているものがある。
この従来品は、柄にモータと電池が内蔵され、柄の先に、モータで回転する巻き取り棒が設けられている。
【０００３】
従って、従来品によると、回転する巻き取り棒で蜘蛛の巣を巻き取って除去できる。しかし、従来品は、巻き取り棒が、その名の通り、棒状に形成されていた。
【０００４】
従って、従来品を使用すると、作業者は、蜘蛛の巣に対して柄を前後、左右、斜め等、様々な方向、角度に操作して作業を行う必要があった。
そのため、従来品は、蜘蛛の巣を完璧に綺麗に取ろうとすると、作業に手間暇がかかるのを避けられず、作業者に肉体的な負担を強いることがあった。
【０００５】
また従来品は、上記の通り、蜘蛛の巣を巻き取り棒で巻き取って除去する構造であった。
従って、従来品は、蜘蛛の巣がはっている壁等の箇所に、過って巻き取り棒がぶつかって壁等を損傷したり、或いは巻き取り棒自体が壊れることがあった。
【０００６】
また従来品は、使用に連れて巻き取り棒に蜘蛛の巣が付着するため、蜘蛛の巣の掃除に支障が出ないよう、この付着した蜘蛛の巣を取り除く必要があった。
従って、従来品は、この種の煩わしさを伴い、メンテナンスが不便である、という問題点があった。
【先行技術文献】
【特許文献】
【０００７】
【特許文献１】実用新案登録第３０１３８３６号公報
【考案の概要】
【考案が解決しようとする課題】
【０００８】
本考案は、このような従来品の問題点に鑑み、提案されたものである。
従って、本考案の解決しようとする技術的課題は、柄を複雑に操作しなくても、また壁等に損傷を与えることなく、蜘蛛の巣を簡単、迅速、且つ綺麗に除去でき、また作業者に肉体的な負担を強いることなく短時間で蜘蛛の巣を綺麗に掃除でき、更にはメンテナンスも容易になるよう形成した、使い勝手の良い蜘蛛の巣用の掃除器具を提供することにある。
【課題を解決するための手段】
【０００９】
本考案は、上記の課題を解決するために、次のような技術的手段を採る。
即ち、本考案は、図１等に示されるように、柄１に内蔵されているモータ２で柄１の先端に設けられている掃除部３が柄１の軸心Ｌを中心にして回転自在に形成されている蜘蛛の巣用の掃除器具であって、上記の掃除部３が、柄１と同心状の軸部３ａと、この軸部３ａの周りに、軸部３ａを中心に放射状に設けられている柔軟質の線状部材３ｂとで形成されていることを特徴とする（請求項１）。
【００１０】
本考案の場合、柔軟質の線状部材３ｂとしては、例えば紐や糸等の部材がある。その材質は、合成樹脂材でも天然繊維材でも良い。また本考案は、線状部材３ｂの長さや太さについても、蜘蛛の巣７の態様に応じて適宜選定されるので良い。
【００１１】
而して、本考案は、図１等に示されるように、線状部材３ｂが、軸部３ａの長手方向にわたって設けられているのが好ましい（請求項２）。
【００１２】
なぜならこれによると、線状部材３ｂの形成範囲が軸部３ａの長手方向にわたって広く大きくなるため、蜘蛛の巣７の除去が一層容易になり、使い勝手が更に良くなるからである。
【００１３】
また本考案は、交換自在の掃除部３を複数備え、各掃除部３が線状部材３ｂの長さを違えて形成されているのが好ましい（請求項３）。
【００１４】
なぜならこれによると、掃除部３を交換することで、蜘蛛の巣７の大きさや、蜘蛛の巣７がはっている場所に応じて柔軟に対応できるからである。
【考案の効果】
【００１５】
本考案は、このように掃除部が、柄と同心状の軸部と、この軸部の周りに、軸部を中心に放射状に設けられている柔軟質の線状部材とで形成されている。
【００１６】
従って、本考案は、掃除部が回転すると、線状部材が回転して蜘蛛の巣を払い落すから、これによれば、柄を複雑に操作しなくても、簡単、迅速、且つ綺麗に蜘蛛の巣を除去できる。
【００１７】
また本考案は、線状部材が柔軟質であるから、蜘蛛の巣がはっている壁等の箇所を傷つけることがない。
【００１８】
また本考案は、回転する線状部材で蜘蛛の巣を一瞬の内に払い落すことができる。
従って、これによれば、作業者に肉体的な負担を強いることなく、短時間で蜘蛛の巣を綺麗に除去でき、またメンテナンスの手間暇も軽減できる。
【図面の簡単な説明】
【００１９】
【図１】本考案の掃除器具の好適な一実施形態を示す要部縦断面図である。
【図２】掃除部の要部平面図である。
【図３】掃除部の一部を切欠した要部正面図である。
【図４】他の掃除部の要部平面図である。
【図５】図４の掃除部の一部を切欠した要部正面図である。
【図６】本考案の使用例を説明するための斜視図である。
【考案を実施するための形態】
【００２０】
以下、本考案の好適な一実施形態を、添付図面に従って説明する。
本考案は、図１等に示されるように、柄１に内蔵されているモータ２で柄１の先端に設けられている掃除部３が、柄１の軸心Ｌを中心にして回転自在に形成されている。
【００２１】
柄１は、アルミ合金等の軽金属材や合成樹脂材で筒状に形成されている。この柄１は、本考案の場合、伸縮自在に形成されているのでも良い。
【００２２】
而して、柄１には、モータ２と共に、電源４としての電池が内蔵されている。この場合、電池は、家庭用１００ボルト電源から充電可能になるよう、蓄電池で形成されているのでも良い。モータ２は、柄１の適宜位置に設けられているスイッチ５のオンオフ操作で制御される。
【００２３】
また上記の掃除部３は、柄１と同心状の軸部３ａと、この軸部３ａの周りに、軸部３ａを中心に放射状に設けられている柔軟質の線状部材３ｂとでブラシ状に形成されている。この実施形態の場合、掃除部３の軸部３ａの基端は、柄１に収納されている回転軸６の外部露出端に挿し込まれている。
【００２４】
従って、この実施形態の本考案は、作業者が柄１の手元のスイッチ５を入れると、電気回路が閉じられてモータ２が駆動し、掃除部３が、回転軸６と一緒に柄１の軸心Ｌを中心に回転するものである。
【００２５】
また上記の線状部材３ｂは、ナイロン等の合成樹脂材製の糸や紐で形成され、軸部３ａに、例えば植え付けられている。またこの線状部材３ｂは、図１等に示されるように、軸部３ａの長手方向にわたって所定の長さ（範囲）に設けられている。
【００２６】
またこの実施形態の本考案品は、交換自在の掃除部３を複数備え、各掃除部３が線状部材３ｂの長さを違えて形成されている。図１〜図３に示される掃除部３は、線状部材３ｂが長い状態を示し、図４、図５に示される掃除部３は、線状部材３ｂが短い状態を示す。
【００２７】
次に、本考案品の使用例を説明する。
先ず、作業者は、柄１のスイッチ５を入れる。すると、モータ２が駆動し、回転軸６が回転する。その結果、掃除部３が柄１の軸心Ｌを中心に回転し、図１に示されるように、線状部材３ｂが遠心力で軸部３ａと直交状に形作られる。
【００２８】
次に、作業者は、図６に示されるように、蜘蛛の巣７に掃除部３をあてる。すると、回転する線状部材３ｂで、蜘蛛の巣７が払い落される。この場合、作業者は、蜘蛛の巣７の大きさや形態等に合わせ、掃除部３を適宜交換して作業するのが良い。
【００２９】
而して、本考案の場合、線状部材３ｂは柔軟質であるから、壁や梁等に線状部材３ｂが触れても、この種の箇所を傷付けることがない。また本考案は、このように線状部材３ｂが柔軟質であるから、線状部材３ｂが壁等にならって動き、その結果、蜘蛛の巣７を綺麗に除去できる。
【００３０】
以上の処において、本考案の場合、線状部材３ｂは、柔軟質であれば、その材質、太さ、長さ等は自由である。
【００３１】
また線状部材３ｂは、本考案の場合、軸部３ａの周りに等角度に設けられるのが好ましいが、取り付けの角度は違えられているのでも良い。
【００３２】
また掃除部３が、上例のように、交換可能に形成されている場合は、各掃除部３が、線状部材３ｂの長さだけではなく、線状部材３ｂの材質や太さ、取付角度等を違えて形成されているのが良い。
なぜならこれによると、蜘蛛の巣７の形成場所や蜘蛛の巣７の形態に合わせて対応でき、より使い勝手が良くなるからである。
【符号の説明】
【００３３】
１    柄
２    モータ
３    掃除部
３ａ  軸部
３ｂ  線状部材
７    蜘蛛の巣
Ｌ    軸心
【図１】
0003206925.tif 000003
【図２】
0003206925.tif 000004
【図３】
0003206925.tif 000005
【図４】
0003206925.tif 000006
【図５】
0003206925.tif 000007
【図６】
0003206925.tif 000008